(57)【要約】【課題】移動部材のガタを十分に抑えることができ、さらに、鏡筒の径を抑えたレンズ鏡筒を提供する。【解決手段】光軸方向に移動可能なレンズ移動部材６と、カム溝４ａが形成されたカム筒４とを備えたレンズ鏡筒１において、レンズ移動部材６は、カム溝４ａに入り込む第１のコマ１２と、カム溝４ａに入り込む第２のコマ１８と、第１のコマ１２と第２のコマ１８とがカム溝４ａの異なる縁にそれぞれ当接するように付勢する引張コイルばねからなるコイルばねと、を備え、第１のコマ１２及び第２のコマ１８がカム筒４のカム溝４ａに入り込むことによりレンズ移動部材６の移動がガイドされる。【選択図】図２
2020177176.tif 000002
【特許請求の範囲】
【請求項１】
光軸方向に移動可能な移動部材と、第１の溝が形成されたカム筒とを備えたレンズ鏡筒であって、
前記移動部材は、
前記第１の溝に入り込む第１のコマと、
前記第１の溝に入り込む第２のコマと、
前記第１のコマと前記第２のコマとが前記第１の溝の異なる縁にそれぞれ当接するように付勢する付勢部材と、を備え、
前記第１のコマ及び前記第２のコマの直径は、前記第１の溝の幅よりも小さく、
前記第１のコマ及び前記第２のコマが前記カム筒の前記第１の溝に入り込むことにより前記移動部材の移動がガイドされる、ことを特徴とする、レンズ鏡筒。
【請求項２】
前記移動部材は、
前記第１のコマが立設され、レンズを保持するレンズ枠と、
前記第２のコマが立設され、前記レンズ枠を前記光軸方向に移動可能に保持する移動枠と、を備え、
前記付勢部材は前記レンズ枠と前記移動枠との間に設けられている、
請求項１に記載のレンズ鏡筒。
【請求項３】
前記移動部材は、外周に前記第１のコマ及び前記第２のコマが立設された回転部材を備え、
前記回転部材は、前記光軸を中心とした半径方向に延びる回転軸を中心として回動可能に前記移動部材に支持されており、
前記付勢部材は、前記回転部材を前記回転軸を中心として回動するように付勢する、
請求項１に記載のレンズ鏡筒。
【請求項４】
前記第１のコマ又は前記第２のコマの少なくとも一方は偏心コマである、
請求項１〜３の何れか１項に記載のレンズ鏡筒。
【請求項５】
前記第１のコマの数と、前記第２のコマの数は、２以上かつ同数である、
請求項１〜４の何れか１項に記載のレンズ鏡筒。
【請求項６】
前記付勢部材は、圧縮コイルばね又は引張コイルばねである、
請求項１〜５の何れか１項に記載のレンズ鏡筒。
【請求項７】
さらに、第２の溝が形成された固定筒を備え、
前記カム筒は前記固定筒に対して回動可能に設けられており、
前記第１のコマ及び前記第２のコマは前記第２の溝に入り込んでおり、
前記カム筒が前記固定筒に対して回動されることにより、前記第１のコマ及び前記第２のコマが前記第１の溝にガイドされつつ、前記第２の溝内に沿って移動することにより、前記移動部材の移動がガイドされる、
請求項１〜６の何れか１項に記載のレンズ鏡筒。
【請求項８】
光軸方向に移動可能な移動部材と、第１の溝が形成されたカム筒とを備えたレンズ鏡筒の組立方法であって、
前記移動部材は、
前記第１の溝に入り込む第１のコマと、
前記第１の溝に入り込む第２のコマと、
前記第１のコマと前記第２のコマとが前記第１の溝の異なる縁にそれぞれ当接するように付勢する付勢部材と、を備え、
前記第１のコマ及び前記第２のコマの直径は、前記第１の溝の幅よりも小さく、
前記第１のコマ及び前記第２のコマが前記カム筒の前記第１の溝に入り込むことにより前記移動部材の移動がガイドされ、
前記第１のコマ又は前記第２のコマの少なくとも一方は基部及び頭部を有し、前記基部の中心軸に対して前記頭部の中心軸が離間している偏心コマであり、
前記組立方法は、
前記第１のコマ及び前記第２のコマを取り付けていない状態の前記移動部材を前記カム筒内に配置する配置ステップと、
前記移動部材に前記第１のコマ及び前記第２のコマを取り付けるコマ取付ステップと、を含み、
前記コマ取付ステップでは、前記第１のコマ及び前記第２のコマを取り付けた後に、前記基部の中心軸から、前記偏心コマの前記頭部が当接する前記第１の溝の縁までの距離が広がるように、前記偏心コマを回転させる、
ことを特徴とするレンズ鏡筒の組立方法。
【請求項９】
前記コマ取付ステップでは、
前記第１のコマ及び前記第２のコマを取り付けていない状態の前記移動部材の前記第１のコマを取り付けるための第１のコマ取付部と、前記第２のコマを取り付けるための第２のコマ取付部と、が前記第１の溝を通して外部に露出する、
請求項８に記載のレンズ鏡筒の組立方法。
【発明の詳細な説明】
【技術分野】
【０００１】
本発明は、カム構造、レンズ鏡筒、及び、カム構造の組み立て方法に関する。
【背景技術】
【０００２】
レンズ鏡筒のズーミング又はフォーカシングのためにレンズ枠を移動させる構成として、光軸方向に延びる直進溝を有する固定筒と、光軸方向に対して周方向に傾斜したカム溝を有するカム筒とを設け、レンズ枠の外周に固定筒の直進溝及びカム筒のカム溝に係合するコマを立設した構成が知られている。このような構成によれば、固定筒に対してカム筒を回転させることにより、直進溝によりレンズ枠の回転が拘束された状態で、コマがカム溝にガイドされて移動することにより、レンズ枠を光軸方向に移動させることができる。
【０００３】
このようなカム溝にコマが係合する構成では、コマと直進溝やカム溝の縁との間に隙間が生じると、移動枠にガタ（光軸方向のずれ）が生じてしまい、光学性能が損なわれる。そこで、このようなガタを取り除く方法として、コマを圧縮した状態で直進溝やカム溝内に配置する方法が知られている。
【０００４】
また、例えば、特許文献１には、移動枠カム溝との間のガタを取るために、第１の軸に設けられた第１のカムフォロアー（コマ）と、第１の軸に回動可能に設けられた地板と、この地板に第１の軸から離間して設けられた第２のカムフォロアーと、第１の地板を第１の軸を中心に回動するように付勢するねじりコイルばねと、を有する構成が開示されている。このような構成によれば、第１のカムフォロアーと第２のカムフォロアーとで移動枠カム溝内を突っ張るため、移動枠のガタを抑えることができる。
【先行技術文献】
【特許文献】
【０００５】
【特許文献１】特開平１１−７２６８４号公報
【発明の概要】
【発明が解決しようとする課題】
【０００６】
しかしながら、コマを溝内に圧入する方法では、温度低下によってコマが収縮するとガタが発生してしまい、また、温度上昇によってコマが膨張すると溝に対する摩擦が大きくなり、モータ駆動によりズーミング又はフォーカシング操作を行う場合には、カム筒をスムーズに駆動できなくなり、手動によりズーミング又はフォーカシング操作を行う場合には、操作に必要な作動トルクが重くなる。
【０００７】
また、特許文献１に記載された構成では、第１のカムフォロワーが移動枠カム溝と嵌合する幅で構成された上で、更に第２のカムフォロワーが同じカム溝に嵌合していることから、スムーズに駆動させることが難しいという問題がある。
【０００８】
本発明は、上記の課題に鑑みなされたものであり、その目的は、温度変化によらず溝に対するコマのガタを十分に抑えることができ、スムーズに駆動可能なレンズ鏡筒を提供することである。
【課題を解決するための手段】
【０００９】
本発明のレンズ鏡筒は、光軸方向に移動可能な移動部材と、第１の溝が形成されたカム筒とを備えたレンズ鏡筒であって、移動部材は、第１の溝に入り込む第１のコマと、第１の溝に入り込む第２のコマと、第１のコマと第２のコマとが第１の溝の異なる縁にそれぞれ当接するように付勢する付勢部材と、を備え、第１のコマ及び第２のコマの直径は、第１の溝の幅よりも小さく、第１のコマ及び第２のコマがカム筒の第１の溝に入り込むことにより移動部材の移動がガイドされる、ことを特徴とする。
【００１０】
上記構成の本発明によれば、第１のコマ及び第２のコマの直径は、第１の溝の幅よりも小さいため、温度が上昇しても第１のコマ及び第２のコマが第１の溝をスムーズに移動できる。また、付勢部材により第１のコマと第２のコマとが第１の溝の異なる縁にそれぞれ当接するように付勢されているため、温度低下が生じたとしても、第１のコマと第２のコマとが第１の溝の両縁に当接するため、ガタの発生を防止できる。
【００１１】
本発明のレンズ鏡筒の組立方法は、光軸方向に移動可能な移動部材と、第１の溝が形成されたカム筒とを備えたレンズ鏡筒の組立方法であって、移動部材は、第１の溝に入り込む第１のコマと、第１の溝に入り込む第２のコマと、第１のコマと第２のコマとが第１の溝の異なる縁にそれぞれ当接するように付勢する付勢部材と、を備え、第１のコマ及び２のコマの直径は、第１の溝の幅よりも小さく、第１のコマ及び第２のコマがカム筒の第１の溝に入り込むことにより移動部材の移動がガイドされ、第１のコマ又は第２のコマの少なくとも一方は基部及び頭部を有し、基部の中心軸に対して頭部の中心軸が離間している偏心コマであり、組立方法は、第１のコマ及び第２のコマを取り付けていない状態の移動部材をカム筒内に配置する配置ステップと、移動部材に第１のコマ及び第２のコマを取り付けるコマ取付ステップと、を含み、コマ取付ステップでは、第１のコマ及び第２のコマを取り付けた後に、基部の中心軸から、偏心コマの頭部が当接する第１の溝の縁までの距離が広がるように、偏心コマを回転させる、ことを特徴とする。
【００１２】
上記構成の本発明によれば、第１のコマ及び第２のコマの直径は、第１の溝の幅よりも小さいため、温度が上昇しても第１のコマ及び第２のコマが第１の溝をスムーズに移動できる。また、付勢部材により第１のコマと第２のコマとが第１の溝の異なる縁にそれぞれ当接するように付勢されているため、温度低下が生じたとしても、第１のコマと第２のコマとが第１の溝の両縁に当接するため、ガタの発生を防止できる。さらに、組立時に偏心コマを外周縁までの距離が短い側が、溝の縁に当接するように取り付け、偏心コマを回転させることにより、コマの取付作業を容易に行うことができるとともに、コイルばねの付勢力を増大させることができる。
【発明の効果】
【００１３】
本発明によれば、温度変化によらず溝に対するコマのガタを十分に抑えることができるレンズ鏡筒が提供される。
【図面の簡単な説明】
【００１４】
【図１Ａ】本発明の第１実施形態によるカム構造を備えたレンズ鏡筒を示す斜視図である。
【図１Ｂ】本発明の第１実施形態によるカム構造を備えたレンズ鏡筒を示す上面図である。
【図１Ｃ】本発明の第１実施形態によるカム構造を備えたレンズ鏡筒を示す側面図である。
【図２】図１Ａに示すレンズ鏡筒の分解斜視図である。
【図３】図１に示すレンズ鏡筒のレンズ移動体を示す拡大斜視図である。
【図４】図１に示すレンズ鏡筒のレンズ移動体を示す分解斜視図である。
【図５Ａ】図１Ａに示すレンズ鏡筒における第１のコマを構成するコロを示す頭部側から見た図である。
【図５Ｂ】図５ＡにおけるＢ−Ｂ断面図である。
【図５Ｃ】図５ＡにおけるＣ−Ｃ断面図である。
【図６】図１Ａに示すレンズ鏡筒のカム筒のカム溝を拡大して示す図である。
【図７Ａ】本発明の第２実施形態によるカム構造を備えたレンズ鏡筒を示す上面図である。
【図７Ｂ】本発明の第２実施形態によるカム構造を備えたレンズ鏡筒を示す側面図である。
【図８Ａ】図７Ａ及び図７Ｂに示すレンズ鏡筒における第２のコマを構成するコロを示す頭部側から見た図である。
【図８Ｂ】図８ＡにおけるＢ−Ｂ断面図である。
【図８Ｃ】図８ＡにおけるＣ−Ｃ断面図である。
【図９Ａ】本発明の第２実施形態のレンズ鏡筒を組み立てる方法におけるコマ取付ステップを説明するための図（その１）である。
【図９Ｂ】本発明の第２実施形態のレンズ鏡筒を組み立てる方法におけるコマ取付ステップを説明するための図（その２）である。
【図９Ｃ】本発明の第２実施形態のレンズ鏡筒を組み立てる方法におけるコマ取付ステップを説明するための図（その３）である。
【図１０Ａ】本発明の第３実施形態によるカム構造を備えたレンズ鏡筒を示す斜視図である。
【図１０Ｂ】本発明の第３実施形態によるカム構造を備えたレンズ鏡筒を示す上面図である。
【図１０Ｃ】本発明の第３実施形態によるカム構造を備えたレンズ鏡筒を示す側面図である。
【図１１】図１０Ａに示すレンズ鏡筒の分解斜視図である。
【図１２Ａ】図１０Ａに示すレンズ鏡筒のレンズ移動体を示す斜視図である。
【図１２Ｂ】図１０Ａに示すレンズ鏡筒のレンズ移動体を示す正面図である。
【図１２Ｃ】図１０Ａに示すレンズ鏡筒のレンズ移動体を示す側面図である。
【図１２Ｄ】図１０Ａに示すレンズ鏡筒のレンズ移動体を示す下面図である。
【図１３】図１０Ａに示すレンズ鏡筒のレンズ移動体の分解斜視図である。
【図１４】図１０Ａに示すレンズ鏡筒のカム溝用コマ組立体及び縦溝用コマ組立体を説明するための斜視図である。
【図１５】図１０Ａに示すレンズ鏡筒のカム溝を拡大して示す図である。
【発明を実施するための形態】
【００１５】
＜第１実施形態＞
以下、本発明の第１実施形態によるカム構造を備えたレンズ鏡筒を図面を参照しながら説明する。本実施形態のレンズ鏡筒は受光素子を備えたカメラ本体に取り付けられて用いられるものである。
【００１６】
図１Ａ〜図１Ｃは、本発明の第１実施形態によるカム構造を備えたレンズ鏡筒を示し、図１Ａは斜視図、図１Ｂは上面図、図１Ｃは側面図である。また、図２は図１Ａに示すレンズ鏡筒の分解斜視図である。図１Ａ〜図１Ｃ及び図２に示すように、レンズ鏡筒１は、カメラ本体に固定される固定筒２と、固定筒２の外周に回動可能に取り付けられるカム筒４と、固定筒２内に配置され、光軸方向に移動可能なレンズ移動部材（移動部材）６とを備える。
【００１７】
固定筒２は、カメラ本体に取り付けられるマウント部２Ａと、マウント部２Ａから被写体側に延びる円筒状の円筒部２Ｂとを備える。円筒部２Ｂには、３対の縦溝（第２の溝）２ａ、２ｂが周方向に略等しい角度間隔で形成されている。それぞれの対となる縦溝２ａ、２ｂは周方向に隣接するように形成されており、光軸方向に延びる長孔として形成されている。また、固定筒２の前端部にはコマを取り付けるための、コマ取付穴２ｃが形成されている。
【００１８】
カム筒４は、円筒状に形成されており、固定筒２に対して光軸を中心として回動可能に設けられている。カム筒４の中間部には、周方向に等角度間隔で３つのカム溝（第１の溝）４ａが形成されている。各カム溝４ａは、周方向一端に向かって被写体側に傾斜するように形成されている。また、カム筒４の前端部には周方向に延びる周方向溝４ｂが形成されている。
【００１９】
図３及び図４は、図１に示すレンズ鏡筒のレンズ移動部材を示し、図３は拡大斜視図、図４は分解斜視図である。図３及び図４に示すように、レンズ移動部材６は、レンズ枠８と、レンズ枠８に対して光軸方向に移動可能な移動枠１０と、レンズ枠８と移動枠１０の間を結ぶ引張コイルばね（付勢部材）２０と、を備える。レンズ枠８は、円環状に形成されており、中心の開口にレンズが取り付けられる。また、レンズ枠８の半径方向の外周面には略等しい角度間隔で３つの第１のコマ１２が立設されている。
【００２０】
レンズ枠８は、結像側の大径部８Ａと、被写体側の小径部８Ｂとを備える。小径部８Ｂの半径方向外周面には、大径部８Ａから被写体側に延びる３つの突出部８Ｃが周方向に等角度間隔で形成されている。また、小径部８Ｂの外周面には、突出部８Ｃに隣接して半径方向に凹むような第１の凹部８Ｄ及び第２の凹部８Ｅが形成されている。第１の凹部８Ｄ及び第２の凹部８Ｅは半径方向外周面及び被写体側の面に開口している。第２の凹部８Ｅ内には、半径方向外方に向かって固定棒８ｂが立設されている。各突出部８Ｃの半径方向外周面には、それぞれ第１のコマ取付穴８ａが形成されている。
【００２１】
図５Ａ〜Ｃは、図１Ａに示すレンズ鏡筒における第１のコマを構成するコロを示し、図５Ａは頭部側から見た図、図５Ｂは図５ＡにおけるＢ−Ｂ断面図、図５Ｃは図５ＡにおけるＣ−Ｃ断面図である。図５Ａ〜図５Ｃに示すように、コロ１２ａは、円筒状の基部１２ａ１と、基部１２ａ１に連続する円筒状の頭部１２ａ２とを有する。頭部１２ａ２の直径は基部１２ａ１の直径よりも大きく、基部１２ａ１及び頭部１２ａ２の中心軸は同一直線上に位置している。コロ１２ａには軸方向中心に略円筒状の貫通孔１２ａ３が形成されている。貫通孔１２ａ３の半径方向内端部は縮径されている。頭部１２ａ２の半径方向外周面には、中心軸を通るような直線溝１２ａ４が形成されている。第１のコマ１２は、コロ１２ａの基部１２ａ１を第１のコマ取付穴８ａに挿入し、ねじ軸１２ｂをコロ１２ａの貫通孔１２ａ３に挿入して第１のコマ取付穴８ａに締め付けることにより構成されている。第１のコマ１２を構成するコロ１２ａの頭部１２ａ２の直径は、カム筒４に形成されたカム溝４ａの軸方向の幅よりも小さい。
【００２２】
移動枠１０は、移動枠本体１４と、移動枠本体１４の被写体側に取り付けられる枠縁体１６とにより構成される。移動枠１０の外周面には、等角度間隔で３つの第２のコマ１８が立設されている。
【００２３】
移動枠本体１４は、円環状の円環部１４Ａと、円環部１４Ａから結像側に延びる円筒状の円筒部１４Ｂとを有する。円環部１４Ａの中心の開口の周囲の縁には、結像側に凹む円環状の凹部１４ａが形成されている。凹部１４ａの半径方向外側の縁部には、略等しい間隔で３つの開口１４ｂが形成されている。凹部１４ａの被写体側の表面の開口１４ｂの近傍には、３つのねじ穴１４ｆが等角度間隔で形成されている。また、円筒部１４Ｂには、結像側の縁から前方に延びる３つの第１の凹部１４ｃが等角度間隔で形成されている。円筒部１４Ｂには、第１の凹部１４ｃに周方向に隣接して、半径方向内方に突出する３つの突部１４ｄが周方向に等間隔で形成されている。さらに、円筒部１４Ｂには、突部１４ｄに隣接して、結像側の縁から前方に延びる３つの第２の凹部１４ｇが等角度間隔で形成されている。円筒部１４Ｄの外周面の突部１４ｄに当たる位置には、それぞれコマ取付穴１４ｅが形成されている。第２のコマ１８は、第１のコマ１２と同様にコロ１８ａ及びねじ軸１８ｂにより構成されている。第２のコマ１８を構成するコロ１８ａの構成は、図５Ａ〜図５Ｃを参照して説明した第１のコマ１２を構成するコロ１２ａの構成と同一である。第２のコマ１８は、コロ１８ａの基部をコマ取付穴１４ｅに挿入し、ねじ軸１８ｂをコロ１８ａの貫通孔に挿入してコマ取付穴１４ｅに締め付けることにより構成されている。第２のコマ１８を構成するコロ１８ａの頭部の直径は、カム筒４に形成されたカム溝４ａの軸方向の幅よりも小さい。
【００２４】
枠縁体１６は、円環状の板材により構成されている。枠縁体１６の外径は、移動枠本体１４の凹部１４ａの内径と等しくなっている。枠縁体１６の外周部には半径方向外方に向かって延びる３つの突部１６ａが等角度間隔で形成されている。また、枠縁体１６の外周部の突部１６ａの近傍には切り欠き部１６ｂが形成されている。
【００２５】
枠縁体１６は、突部１６ａが移動枠本体１４の開口１４ｂと光軸方向に並ぶように、枠縁体１６を移動枠本体１４の凹部１４ａに嵌め込み、ねじを被写体側から枠縁体１６の切り欠き部１６ｂを通して移動枠本体１４のねじ穴１４ｆに締め付けることにより、移動枠本体１４に取り付けられている。
【００２６】
レンズ枠８は、移動枠本体１４の円筒部１４Ｂの内側に小径部８Ｂが入り込むように、移動枠本体１４に対して配置されている。また、レンズ枠８の各突出部８Ｃが、移動枠本体１４の第１の凹部１４ｃに入り込むとともに、レンズ枠８の各第１の凹部８Ｄに、移動枠本体１４の突部１４ｄが入り込んでいる。このような構成により、レンズ枠８は移動枠１０に対して光軸方向に移動可能である。なお、後述するように、レンズ枠８に立設された第１のコマ１２が固定筒２の第１の縦溝２ａを挿通し、移動枠１０に立設された第２のコマ１８が固定筒２の第２の縦溝２ｂを挿通しているため、レンズ枠８は移動枠１０に対して光軸を中心として回転することはない。
【００２７】
また、レンズ枠８の各突出部８Ｃが移動枠本体１４の第１の凹部１４ｃに入り込んだ状態において、第２の凹部１４ｇがレンズ枠８の第２の凹部８Ｅの半径方向外方に整列している。引張コイルばね２０は、一端が枠縁体１６の突部１６ａに取り付けられ、他端がレンズ枠８の固定棒８ｂに取り付けられている。引張コイルばね２０の固定棒８ｂへの取付作業は、第２の凹部１４ｇを通じて行えばよい。このような構成により、移動枠１０はレンズ枠８に光軸方向に近接するように付勢されている。なお、移動枠１０がレンズ枠８に対して最も近接した状態、すなわち、レンズ枠８の小径部８Ｂの被写体側の面が移動枠本体１４の円環部１４Ａの結像側の面に当接した状態で、第１のコマ１２を取り付ける第１のコマ取付穴８ａ及び第２のコマ１８を取り付けるコマ取付穴１４ｅが、カム溝４ａ内に露出するように、第１のコマ取付穴８ａ及びコマ取付穴１４ｅは配置されている。
【００２８】
図１Ａ〜図１Ｃ及び図２に示すように、カム筒４は、固定筒２の円筒部２Ｂを取り囲むように取り付けられている。固定筒２のコマ取付穴２ｃには、第３のコマ２２が取り付けらており、この第３のコマ２２はカム筒４の周方向溝４ｂ内に位置している。これにより、カム筒４は固定筒２に対して光軸を中心として回動可能であるとともに、カム筒４の固定筒２に対する光軸方向の移動が拘束されている。
【００２９】
図６は、図１Ａに示すレンズ鏡筒のカム筒のカム溝を拡大して示す図である。レンズ移動部材６は固定筒２の内側に配置されている。レンズ移動部材６のレンズ枠８の第１のコマ取付穴８ａには第１のコマ１２が立設され、レンズ移動部材６の移動枠１０の第２のコマ取付穴１４ｅには第２のコマ１８が立設されている。図５に示すように、第１のコマ１２は、カム筒４のカム溝４ａ及び固定筒２の第１の縦溝２ａを挿通している。また、第２のコマ１８は、カム筒４のカム溝４ａ及び固定筒２の第２の縦溝２ｂを挿通している。
【００３０】
カム筒４に形成されたカム溝４ａは、周方向の一端（図５の下端側端部）が他端に比べて結像側に位置するように傾斜して形成されている。このため、第２のコマ１８がカム溝４ａの結像側の縁に当接して被写体側に移動するとともに、第１のコマ１２がカム溝４ａの被写体側の縁に当接して結像側に移動し、第２のコマ１８が第１のコマ１２に対して被写体側に位置している。これにより、第１のコマ１２が立設された移動枠１０は、第２のコマ１８が立設されたレンズ枠８に対して離間し、引張コイルばね２０が移動枠１０とレンズ枠８とが近接するように付勢される。このため、移動枠１０に立設された第１のコマ１２が矢印Ａで示すように被写体側に付勢されるとともに、レンズ枠８に立設された第２のコマ１８が矢印Ｂで示すように結像側に付勢され、第１のコマ１２の側面がカム溝４ａの被写体側の縁に当接し、かつ、第２のコマ１８の側面がカム溝４ａの結像側の縁に当接し、ガタの発生が防止される。
【００３１】
また、第１のコマ１２及び第２のコマ１８がそれぞれ固定筒２の縦溝２ａ、２ｂを挿通しているため、レンズ移動部材６は固定筒２に対して回転が拘束されている。このため、このような状態で、カム筒４を固定筒２に対して回動させると、第１のコマ１２及び第２のコマ１８がカム溝４ａに沿ってガイドされ、レンズ移動部材６が光軸方向に移動する。
【００３２】
本実施形態のレンズ鏡筒１は以下のようにして組み立てることができる。
まず、レンズ移動部材６を組み立てる。レンズ移動部材６を組み立てる際には、まず、レンズ枠８の小径部８Ｂが移動枠本体１４の円筒部１４Ｂの内側に位置するように、レンズ枠８を移動枠本体１４に対して配置する。次に、この状態で、移動枠本体１４の第２の凹部１４ｇを通して、レンズ枠８の第２の凹部８Ｅ内の固定棒８ｂに引張コイルばね２０の一端を固定する。次に、引張コイルばね２０の他端を移動枠本体１４の開口１４ｂを通して被写体側に引き出し、枠縁体１６の突部１６ａに取り付ける。そして、枠縁体１６を移動枠本体１４の凹部１４ａに嵌め込み、ねじを被写体側から移動枠本体１４のねじ穴１４ｆに締め付けることにより組み立てることができる。（移動枠組立ステップ）
【００３３】
次に、固定筒２の外側にカム筒４を配置し、組み立てが完了した第１のコマ１２及び第２のコマ１８が取り付けれていない状態のレンズ移動部材６を固定筒２の内側に配置する（配置ステップ）。このようにレンズ移動部材６を配置した状態では、引張コイルばね２０により付勢され、レンズ枠８と移動枠１０とは最も近接した状態となっている。このため、カム筒４を配置した状態で、第１のコマ１２を取り付ける第１のコマ取付穴８ａ及び第２のコマ１８を取り付ける第２のコマ取付穴１４ｅが、カム溝４ａ内に露出している。
【００３４】
次に、レンズ移動部材６のレンズ枠８の第１のコマ取付穴８ａにコロ１２ａの基部１２ａ１を挿入する。そして、ねじ軸１２ｂをコロ１２ａの貫通孔１２ａ３に挿入して第１のコマ取付穴８ａに締め付けることにより第１のコマ１２を取り付ける。また、移動枠本体１４の第２のコマ取付穴１４ｅにコロ１８ａの基部を挿入し、ねじ軸１８ｂをコロ１８ａの貫通孔に挿入して第２のコマ取付穴１４ｅに締め付けることにより第２のコマ１８を取り付ける。また、固定筒２のコマ取付穴２ｃに第３のコマ２２を取り付ける。（コマ取付ステップ）
以上の工程により、レンズ鏡筒１を組み立てることができる。
【００３５】
本実施形態によれば以下の効果が奏される。
本実施形態では、第１のコマ１２及び第２のコマ１８の直径が、カム溝４ａの幅よりも小さいため、温度が上昇しても第１のコマ１２及び第２のコマ１８がカム溝４ａをスムーズに移動できる。また、引張コイルばね２０により第１のコマ１２と第２のコマ１８とがカム溝４ａの異なる縁にそれぞれ当接するように付勢されているため、温度低下が生じたとしても、第１のコマ１２と第２のコマ１８とがカム溝４ａの両縁に当接するため、ガタの発生を防止できる。
【００３６】
本実施形態では、レンズ移動部材６は、第１のコマ１２が立設され、レンズを保持するレンズ枠８と、第２のコマ１８が立設され、レンズ枠８を光軸方向に移動可能に保持する移動枠１０と、を備え、引張コイルばね２０はレンズ枠８と移動枠１０との間に設けられているため、レンズ枠８と移動枠１０とが光軸方向に付勢され、第１のコマ１２及び第２のコマ１８をカム溝４ａの異なる縁に当接するように付勢することができる。
【００３７】
本実施形態では、レンズ枠８に立設された第１のコマ１２の数と、移動枠１０に立設された第２のコマ１８の数はともに３つかつ同数である。これにより、引張コイルばね２０によりレンズ枠８に対して移動枠１０が付勢されてもレンズ枠８及び移動枠１０が光軸に対して垂直になるように正確に保持され、光学系の精度が向上する。
【００３８】
また、本実施形態では、引張コイルばね２０により第１のコマ１２と第２のコマ１８とがカム溝４ａの異なる縁にそれぞれ当接するように付勢されている。特許文献１に記載されているようにねじリコイルばねを用いた場合には、ねじりコイルばねの付勢力が小さいいため、十分にガタを抑えることができなかった。これに対して、本実施形態では、引張コイルばね２０を用いているため、十分に移動枠のガタを抑えることができる。また、ねじリコイルばねはコマの半径方向内側に配置されるため、鏡筒の直径が大きくなってしまう。これに対して、引張コイルばね２０は、第１のコマ１２及び第２のコマ１８の半径方向内側に設ける必要がないため、ねじリコイルばねを用いた場合に比べてレンズ鏡筒１の直径を小さく抑えることができる。また、引張コイルばね２０は、ねじリコイルばねに比べて付勢力を大きくしやすいため、レンズ移動部材６の重量が大きくても、レンズ移動部材６を所望の位置に確実に保持することができる。
【００３９】
なお、本実施形態では、レンズ枠８と移動枠１０との間に引張コイルばねを設けたが、これに限らず、圧縮コイルばねを設けてもよい。このような構成によっても、レンズ枠８と移動枠１０とが離間する方向に付勢され、第１のコマと第２のコマとが光軸方向に離間する方向に付勢され、ガタを防止できる。
【００４０】
また、本実施形態では、カム筒４に形成されたカム溝４ａ内に第１のコマ及び第２のコマを配置したが、これに限らず、固定筒などに形成された縦溝内に第１のコマ及び第２のコマを配置し、縦溝の対向する縁に第１のコマ及び第２のコマを当接するように、縦溝を横切る方向に第１のコマ及び第２のコマが離間するように付勢してもよい。
【００４１】
また、本実施形態では、レンズを保持するレンズ移動部材６の移動をガイドする場合について説明したが、これに限らず、移動可能な摺動筒などの移動をガイドする場合についても本発明を適用できる。
【００４２】
また、本実施形態では、第１のコマ及び第２のコマをそれぞれ３つずつ設けたが、第１のコマ及び第２のコマはそれぞれ２つ以上設ければよく、また、第１のコマ及び第２のコマは同数であることが好ましい。
【００４３】
＜第２実施形態＞
第１実施形態におけるレンズ鏡筒を組み立てる際に、コマ取付ステップにおいて第１のコマ１２を取り付けてしまうと、第２のコマ１８を取り付けるための第２のコマ取付穴１４ｅがカム溝４ａの縁の近傍に位置してしまい、第２のコマ１８の頭部がカム溝４ａの縁と干渉してしまい、第２のコマ１８の取付作業が困難になる。第２実施形態は、この点を改善したものである。
【００４４】
以下、本発明の第２実施形態によるカム構造を備えたレンズ鏡筒を図面を参照しながら説明する。以下の説明において、第１実施形態と同様の構成については、同じ符号を付して詳細な説明を省略する。
【００４５】
図７Ａ及び図７Ｂは、本発明の第２実施形態によるカム構造を備えたレンズ鏡筒を示し、図７Ａ上面図、図７Ｂは側面図である。本発明の第２実施形態によるレンズ鏡筒１０１は、カメラ本体に固定される固定筒２と、固定筒２の外周に取り付けられるカム筒４と、固定筒２内に配置されるレンズ移動部材６とを備える。第２実施形態によるレンズ鏡筒は、レンズ移動部材６に取り付けられた第２のコマ１１８が偏心コマである点が第１実施形態と異なり、その他の構成は、第１実施形態と同様である。第２のコマ１１８は、レンズ移動部材６を構成する移動枠１０の外周面に立設されており、コロ１１８ａがねじ軸１８ｂにより移動枠本体１４の第２のコマ取付穴１４ｅに取り付けることにより構成されている。
【００４６】
図８Ａ〜図８Ｃは、図７Ａ及び図７Ｂに示すレンズ鏡筒における第２のコマを構成するコロを示し、図８Ａは頭部側から見た図、図８Ｂは図８ＡにおけるＢ−Ｂ断面図、図８Ｃは図８ＡにおけるＣ−Ｃ断面図である。図８Ａ〜図８Ｃに示すように、コロ１１８ａは、円筒状の基部１１８ａ１と、基部１１８ａ１に連続する円筒状の頭部１１８ａ２とを有する。頭部１１８ａ２の直径は基部１１８ａ１の直径よりも大きく、カム筒４のカム溝４ａの幅よりも小さい。図８Ｂに示すように、頭部１１８ａ２の中心軸Ｘ２は、基部１１８ａ１の中心軸Ｘ１に対して横方向に離間している。コロ１１８ａには、基部１１８ａ１の中心軸Ｘ１を中心として略円柱状の貫通孔１１８ａ３が形成されている。貫通孔１１８ａ３の半径方向内端部は縮径されている。頭部１１８ａ２の半径方向外周面には、基部１１８ａ１及び頭部１１８ａ２の中心軸Ｘ１、Ｘ２を通るような直線溝１１８ａ４が形成されている。このため、基部１１８ａ１の中心軸Ｘ１から直線溝１１８ａ４に沿った頭部１１８ａ２の一方の縁（図８Ａの左縁）までの距離が、基部１１８ａ１の中心軸Ｘ１から頭部１１８ａ２の縁までの最短距離Ｄ１となり、また、基部１１８ａ１の中心軸Ｘ１から頭部１１８ａ２の他方の縁（図８Ａの右縁）までの距離が基部１１８ａ１の中心軸Ｘ１から頭部１１８ａ２の縁までの最大距離Ｄ２となっている。第２のコマ１１８は、コロ１１８ａの基部１１８ａ１を第１のコマ取付穴８ａに挿入し、ねじ軸１８ｂをコロ１１８ａの貫通孔１１８ａ３に挿入して第１のコマ取付穴８ａに締め付けることにより構成されている。
【００４７】
図７Ａ及び図７Ｂに示すように、本実施形態のレンズ鏡筒１０１では、第２のコマ１１８は、コロ１１８ａの基部１１８ａ１の中心軸Ｘ１から頭部１１８ａ２の縁までの距離が大きい側が結像側に位置するように構成されている。
【００４８】
以下、第２実施形態のレンズ鏡筒を組み立てる方法を説明する。第２実施形態のレンズ鏡筒の組み立て方法は、第１実施形態とコマ取付ステップのみが異なる。
すなわち、第２実施形態のレンズ鏡筒を組み立てる際には、まず、第１実施形態と同様にレンズ枠８と移動枠１０とを引張コイルばね２０で連結する移動枠組立ステップと、レンズ移動部材６を固定筒２の内側に配置し、固定筒２の外側にカム筒４を配置する配置ステップと、を行う。次に、以下に説明するように、コマ取付ステップを行う。
【００４９】
図９Ａ〜図９Ｃは、本発明の第２実施形態のレンズ鏡筒を組み立てる方法におけるコマ取付ステップを説明するための図である。
まず、図９Ａに示すように、レンズ移動部材６のレンズ枠８の第１のコマ取付穴８ａにコロ１２ａの基部１２ａ１を挿入する。そして、ねじ軸１２ｂをコロ１２ａの貫通孔１２ａ３に挿入して第１のコマ取付穴８ａに締め付けることにより第１のコマ１２を取り付ける。
【００５０】
次に、図９Ｂに示すように、コロ１１８ａの頭部１１８ａ２の縁までの距離が最短となる側が結像側に位置するように、移動枠本体１４の第２のコマ取付穴１４ｅにコロ１１８ａの基部１１８ａ１を挿入する。そして、ねじ軸１８ｂをコロ１１８ａの貫通孔１１８ａ３に挿入して第２のコマ取付穴１４ｅに締め付けることにより第２のコマ１１８を取り付ける。
【００５１】
次に、図９Ｃに示すように、コロ１１８ａの直線溝１１８ａ４にマイナスドライバーなどの冶具を挿入し、コロ１１８ａを基部１１８ａ１の中心軸Ｘ１を中心に略１８０度回転させる。これにより、コロ１１８ａの頭部１１８ａ２の縁までの距離が最長となる側が結像側に位置し、偏心コマの基部１１８ａ１の中心軸から、偏心コマの頭部１１８ａ２が当接するカム溝４ｅの縁までの距離が広がる。このような構成によれば、レンズ枠８と移動枠１０とが離間し、レンズ枠８と移動枠１０とを連結する引張コイルばね２０が伸長するため、第１のコマ１２及び第２のコマ１１８に作用する付勢力が大きくなる。これにより、レンズ移動部材６のガタをより抑えることができる。
【００５２】
本実施形態によれば、第１実施形態で奏された作用効果に加えて以下の効果が奏される。
本実施形態によれば、コマ取付ステップにおいて、第１のコマ１２及び第２のコマ１１８を取り付けた後に、第２のコマ１１８の基部１１８ａ１の中心軸から、第２のコマ１１８の頭部１１８ａ２が当接するカム溝４ｅの縁までの距離が広がるように、コロ１１８ａを回転させる。これにより、第２のコマ１１８の取付作業を容易に行うことができるとともに、引張コイルばね２０の付勢力を増大させることができる。
【００５３】
また、コマ取付ステップにおいて、レンズ枠８に形成された第１のコマ１２を取り付けるための第１のコマ取付穴８ａと、移動枠１０に形成された第２のコマ１８を取り付けるための第２のコマ取付穴１４ｅがカム溝４ａを通して外部に露出しているため、第１のコマ１２及び第２のコマ１８の取付作業を容易に行うことができる。
【００５４】
＜第３実施形態＞
以下、本発明の第３実施形態によるカム構造を備えたレンズ鏡筒を図面を参照しながら説明する。本実施形態のレンズ鏡筒は受光素子を備えたカメラ本体に取り付けられて用いられるものである。
【００５５】
図１０Ａ〜図１０Ｃは、本発明の第３実施形態によるカム構造を備えたレンズ鏡筒を示し、図１０Ａは斜視図、図１０Ｂは上面図、図１０Ｃは側面図である。また、図１１は図１０Ａに示すレンズ鏡筒の分解斜視図である。図１０Ａ〜図１０Ｃ及び図１１に示すように、レンズ鏡筒２０１は、カメラ本体に固定される固定筒２０２と、固定筒２０２の外周に取り付けられるカム筒２０４と、固定筒２０２内に配置されるレンズ移動部材２０６とを備える。
【００５６】
固定筒２０２は、カメラ本体に取り付けられるマウント部２０２Ａと、マウント部２０２Ａから被写体側に延びる円筒状の中間円筒部２０２Ｂと、中間円筒部２０２Ｂの被写体側の先端部に取り付けられた先端円筒部２０２Ｃと、を備える。中間円筒部２０２Ｂには、３対の第１の縦溝２０２ａ、２０２ｂが周方向に略等しい角度間隔で形成されている。それぞれの対となる縦溝２０２ａ、２０２ｂは周方向に隣接するように形成されており、光軸方向に延びる同じ長さの長孔として形成されている。第１の縦溝２０２ａ、２０２ｂの幅は、それぞれ、後述するカム溝用コマ組立体２１２の第１のコマ２１６及び第２のコマ２１８の直径よりも大きくなっている。
【００５７】
また、中間円筒部２０２Ｂの内面には、光軸方向に延びる３つの第２の縦溝２０２ｄが周方向に略等しい角度間隔で形成されている。第２の縦溝２０２ｄの周方向の幅は、直進溝用コマ組立体２１３の第３のコマ２１３Ａ及び第４のコマ２１３Ｂの直径と略等しくなっている。
【００５８】
先端円筒部２０２Ｃは中間円筒部２０２Ｂよりも直径の大きな円筒状であり、結像側の端部がねじ止めにより中間円筒部２０２Ｂの先端部に固定されている。先端円筒部２０２Ｃの外周面には、先端円筒部２０２Ｃの前端部にはコマを取り付けるための、コマ取付穴２０２ｃが形成されている。
【００５９】
カム筒２０４は、円筒状の小径部２０４Ａと、小径部２０４Ａの被写体側に設けられた円筒状の大径部２０４Ｂとを備える。大径部２０４Ｂの直径は、小径部２０４Ａの直径よりも大きい。カム筒２０４は、固定筒２０２に対して光軸を中心として回動可能に設けられている。カム筒２０４の小径部２０４Ａには、周方向に等角度間隔で３つのカム溝２０４ａが形成されている。各カム溝２０４ａは、周方向一方に向かって光軸方向に被写体側に向かって傾斜するように形成されている。さらに、各カム溝２０４ａはカム筒２０４を展開した場合に直線状になるような形状となっている。また、カム筒２０４の大径部２０４Ｂには周方向に延びる周方向溝２０４ｂが形成されている。
【００６０】
図１２Ａ〜図１２Ｄは、図１０Ａに示すレンズ鏡筒のレンズ移動部材を示し、図１２Ａは斜視図、図１２Ｂは正面図、図１２Ｃは側面図、図１２Ｄは下面図である。また、図１３は、図１０Ａに示すレンズ鏡筒のレンズ移動部材の分解斜視図である。また、図１４は、図１０Ａに示すレンズ鏡筒のカム溝用コマ組立体及び縦溝用コマ組立体を説明するための斜視図であり、移動部材本体を省略して示す。図１２Ａ〜図１２Ｄ及び図１３に示すように、レンズ移動部材２０６は、移動部材本体２０８と、移動部材本体２０８に取り付けられた環状体２１０と、一端が環状体２１０に取り付けられた引張コイルばね２２４と、を備える。
【００６１】
移動部材本体２０８は円環状に形成されており、中心の開口２０８Ａにレンズが取り付けられる。また、移動部材本体２０８の半径方向の外周面には略等しい角度間隔で３つのカム溝用コマ組立体２１２と、直進溝用コマ組立体２１３とが交互に設けられている。
【００６２】
移動部材本体２０８の外周面のカム溝用コマ組立体２１２が取り付けられる部位には平坦面２０８Ｂが形成されており、各平坦面２０８Ｂには取付穴２０８ｃが形成されている。また、平坦面２０８Ｂの取付穴２０８ｃの近傍には、平坦面２０８Ｂから垂直に延びる垂直穴２０８ｂが形成されている。また、移動部材本体２０８の被写体側の面の垂直穴２０８ｂに当たる部位には、光軸方向に延びる軸方向穴２０８ａが形成されている。垂直穴２０８ｂは軸方向穴２０８ａに連通している。
【００６３】
環状体２１０は円環状の板材である。環状体２１０の外周部には当角度間隔で半径方向外方に突出する突出部２１０ａが形成されている。また、環状体２１０の外周部には、突出部２１０ａに隣接して切り欠き部２１０ｂが形成されている。環状体２１０は、移動部材本体２０８の被写体側の面の開口２０８Ａの周囲に、切り欠き部２１０ｂ内に配置された止めねじ２１０Ａにより固定される。移動部材本体２０８に取り付けた状態で、環状体２１０の突出部２１０ａは、移動部材本体２０８の軸方向穴２０８ａの被写体側に位置している。
【００６４】
図１４に示すように、カム溝用コマ組立体２１２は、移動部材本体２０８に回転可能に支持された回転プレート２１４と、回転プレート２１４に取り付けられた第１のコマ２１６及び第２のコマ２１８を備える。
【００６５】
回転プレート２１４は、長尺の板状部材からなり、中央に第１の取付穴２１４ａが形成され、第１の取付穴２１４ａの両側に第２の取付穴２１４ｂが形成されている。また、回転プレート２１４の一端部の縁には、垂直に折り曲げられた屈曲部２１４ｃが形成されている。回転プレート２１４は、第１の取付穴２１４ａの軸受け２２０を取り付け、軸受け２２０を軸ねじ２２２により移動部材本体２０８の取付穴２０８ｃに取り付けられている。軸ねじ２２２は、光軸を中心とした半径方向に延びるように移動部材本体２０８に取り付けられており、回転プレート２１４は軸ねじ２２２を中心として回転可能に保持されている。また、移動部材本体２０８に取り付けた状態において、回転プレート２１４の屈曲部２１４ｃは、移動部材本体２０８の垂直穴２０８ｂ内に位置している。
【００６６】
第１のコマ２１６は、第１のコロ２１６ａと、第１の軸ねじ２１６ｂとを備える。第１のコロ２１６ａは円筒状に形成されている。第１のコマ２１６は、第１のコロ２１６ａの貫通孔に第１の軸ねじ２１６ｂを挿通させ、第１の軸ねじ２１６ｂの先端を回転プレートの屈曲部２１４ｃ側の第２の取付穴２１４ｂに固定することにより構成されている。なお、第１のコロ２１６ａの直径は、カム溝２０４ａの幅よりも小さい。
【００６７】
第２のコマ２１８は、第２のコロ２１８ａと、第２の軸ねじ２１８ｂとを備える。第２のコロ２１８ａは円筒状に形成されている。第２のコマ２１８は、第２のコロ２１８ａの貫通孔に第２の軸ねじ２１８ｂを挿通させ、第２の軸ねじ２１８ｂの先端を回転プレートの屈曲部２１４ｃと反対側の第２の取付穴２１４ｂに固定することにより構成されている。なお、第２のコロ２１８ａの直径は、カム溝２０４ａの幅よりも小さい。
【００６８】
引張コイルばね２２４は、移動部材本体２０８の軸方向穴２０８ａ内に配置されており、光軸方向に延びている。引張コイルばね２２４の一端は、移動部材本体２０８に取り付けられた環状体２１０の突出部２１０ａに取り付けられている。また、引張コイルばね２２４の他端は、移動部材本体２０８の垂直穴２０８ｂ内に位置する回転プレート２１４の屈曲部２１４ｃに取り付けられている。これにより、回転プレート２１４は軸ねじ２２２を中心として、第１のコマ２１６の側が被写体側に回動するように、引張コイルばね２２４により付勢されている。
【００６９】
直進溝用コマ組立体２１３は、移動部材本体２０８の外周面に光軸方向に整列するように設けられた一対の第３のコマ２１３Ａ及び第４のコマ２１３Ｂにより構成される。第３のコマ２１３Ａ及び第４のコマ２１３Ｂは、それぞれ、円筒状のコマ２１３ａがねじ２１３ｂにより移動部材本体２０８に取り付けられて構成されている。
【００７０】
図１０Ａ〜図１０Ｃ及び図１１に示すように、レンズ鏡筒２０１の組み立て状態において、カム筒２０４は固定筒２０２の外周を包囲するように配置されており、カム筒２０４の小径部２０４Ａが固定筒２０２の中間円筒部２０２Ｂの外周に位置し、カム筒２０４の大径部２０４Ｂが固定筒２０２の先端円筒部２０２Ｃの外周に位置している。また、第５のコマ２２６がカム筒２０４の周方向溝２０４ｂを挿通し、固定筒２０２のコマ取付穴２０２ｃに取り付けられている。これにより、カム筒２０４は、固定筒２０２に対して光軸方向の移動が拘束された状態で、周方向に回動可能に保持される。
【００７１】
レンズ移動部材２０６は固定筒２０２の内側に配置されている。レンズ移動部材２０６の直進溝用コマ組立体２１３の第３のコマ２１３Ａ及び第４のコマ２１３Ｂは、固定筒２０２の第２の縦溝２０２ｄ内に入り込んでいる。これにより、レンズ移動部材２０６は固定筒２０２に対して光軸方向に移動が拘束された状態で、周方向に回動可能に保持されている。
【００７２】
また、レンズ移動部材２０６のカム溝用コマ組立体２１２の第１のコマ２１６及び第２のコマ２１８は、それぞれ固定筒２０２の第１の縦溝２０２ａ、２０２ｂを挿通し、カム筒２０４のカム溝２０４ａに入り込んでいる。
【００７３】
図１５は、図１０Ａに示すレンズ鏡筒のカム溝を拡大して示す図である。図１５に示すように、カム溝用コマ組立体２１２を構成する回転プレート２１４は軸ねじ２２２を中心として、第１のコマ２１６の側が被写体側に回動するように、図中矢印で示す方向に引張コイルばね２２４により付勢されている。これにより、回転プレート２１４は、軸ねじ２２２を中心に回動し、第１のコマ２１６の被写体側の端部がカム溝２０４ａの被写体側の縁に当接し、第２のコマ２１８の結像側の端部がカム溝２０４ａの結像側の縁に当接する。これにより、レンズ移動部材２０６のカム溝２０４ａに対するガタが抑えられる。そして、この状態でカム溝２０４ａを固定筒２０２に対して回動させることにより、カム溝２０４ａにガイドされてレンズ移動部材２０６は光軸方向に移動する。
【００７４】
本実施形態によれば、以下の効果が奏される。
本実施形態では、第１のコマ２１６及び第２のコマ２１８の直径が、カム溝２０４ａの幅よりも小さいため、温度が上昇しても第１のコマ２１６及び第２のコマ２１８がカム溝２０４ａをスムーズに移動できる。また、引張コイルばね２２４により第１のコマ２１６と第２のコマ２１８とがカム溝２０４ａの異なる縁にそれぞれ当接するように付勢されているため、温度低下が生じたとしても、第１のコマ２１６と第２のコマ２１８とがカム溝２０４ａの両縁に当接するため、ガタの発生を防止できる。
【００７５】
本実施形態では、第１のコマ２１６及び第２のコマ２１８が立設された回転プレート２１４が軸ねじ２２２を中心として回動可能に支持されており、引張コイルばね２２４が回転プレート２１４を軸ねじ２２２を中心として回動するように付勢することにより、第１のコマ２１６及び第２のコマ２１８を溝の異なるカム２０４ａ縁に当接するように付勢することができる。
【００７６】
本実施形態では、回転プレート２１４に設けられた第１のコマ２１６の数と、第２のコマ２１８の数はともに３つかつ同数である。これにより、引張コイルばね２２４により第１のコマ２１６と第２のコマ２１８とカム溝２０４ａの異なる縁にそれぞれ当接するように付勢されても、レンズ移動部材２０６が光軸に対して垂直になるように正確に保持され、光学系の精度が向上する。
【００７７】
また、本実施形態では、引張コイルばね２２４により第１のコマ２１６と第２のコマ１２８とがカム溝２０４ａの異なる縁にそれぞれ当接するように付勢されている。特許文献１に記載されているようにねじリコイルばねを用いた場合には、ねじりコイルばねの付勢力が小さいいため、十分にガタを抑えることができなかった。これに対して、本実施形態では、引張コイルばね２２４を用いているため、十分に移動枠のガタを抑えることができる。また、ねじリコイルばねはコマの半径方向内側に配置されるため、鏡筒の直径が大きくなってしまう。これに対して、引張コイルばね２２４は、第１のコマ２１６及び第２のコマ２１８の半径方向内側に設ける必要がないため、ねじリコイルばねを用いた場合に比べてレンズ鏡筒２０１の直径を小さく抑えることができる。また、引張コイルばね２２４はねじリコイルばねに比べて付勢力を大きくしやすいため、レンズ移動部材２０６の重量が大きくても、レンズ移動部材２０６を所望の位置に確実に保持することができる。
【００７８】
なお、本実施形態では、回転プレート２１４を回動するように付勢させるために引張コイルばね２２４を設けたが、これに限らず、回転プレート２１４を同じ方向に回動するように圧縮コイルばねを設けてもよい。また、本実施形態では、第１のコマ２１６及び第２のコマ２１８として通常のコマ（頭部と基部の中心軸が一致しているコマ）を使用した場合について説明したが、第２実施形態のように偏心コマ（頭部と基部の中心軸が離間しているコマ）を使用してもよい。
【００７９】
また、本実施形態では、カム筒２０４に形成されたカム溝２０４ａ内に第１のコマ２１６及び第２のコマ２１８を配置したが、これに限らず、固定筒などに形成された縦溝内に第１のコマ及び第２のコマを配置し、縦溝の対向する縁に第１のコマ及び第２のコマを当接するように、縦溝を横切る方向に第１のコマ及び第２のコマが離間するように付勢してもよい。
【００８０】
また、本実施形態では、レンズを保持するレンズ移動部材２０６の移動をガイドする場合について説明したが、これに限らず、移動可能な摺動筒などの移動をガイドする場合についても本発明を適用できる。
【符号の説明】
【００８１】
１          レンズ鏡筒
２          固定筒
２Ａ        マウント部
２Ｂ        円筒部
２ａ        第１の縦溝
２ｂ        第１の縦溝
２ｃ        コマ取付穴
４          カム筒
４ａ        カム溝
４ｂ        周方向溝
６          レンズ移動部材
８          レンズ枠
８Ａ        大径部
８Ｂ        小径部
８Ｃ        突出部
８Ｄ        第１の凹部
８Ｅ        第２の凹部
８ａ        第１のコマ取付穴
８ｂ        固定棒
８ｃ        突出部
１０        移動枠
１２        第１のコマ
１２ａ      コロ
１２ａ１    基部
１２ａ２    頭部
１２ａ３    貫通孔
１２ａ４    直線溝
１２ｂ      ねじ軸
１４        移動枠本体
１４Ａ      円環部
１４Ｂ      円筒部
１４Ｄ      円筒部
１４ａ      凹部
１４ｂ      開口
１４ｃ      第１の凹部
１４ｄ      突部
１４ｅ      第２のコマ取付穴
１４ｆ      ねじ穴
１４ｇ      第２の凹部
１６        枠縁体
１６ａ      突部
１６ｂ      切り欠き部
１８        第２のコマ
１８ａ      コロ
１８ｂ      ねじ軸
２０        引張コイルばね
２２        第３のコマ
１０１      レンズ鏡筒
１１８      第２のコマ
１１８ａ    コロ
１１８ａ１  基部
１１８ａ２  頭部
１１８ａ３  貫通孔
１１８ａ４  直線溝
２０１      レンズ鏡筒
２０２      固定筒
２０２Ａ    マウント部
２０２Ｂ    中間円筒部
２０２Ｃ    先端円筒部
２０２ａ    第１の縦溝
２０２ｂ    第１の縦溝
２０２ｃ    コマ取付穴
２０２ｄ    第２の縦溝
２０４      カム筒
２０４Ａ    小径部
２０４Ｂ    大径部
２０４ａ    カム溝
２０４ｂ    周方向溝
２０６      レンズ移動部材
２０８      移動部材本体
２０８Ａ    開口
２０８Ｂ    平坦面
２０８ａ    軸方向穴
２０８ｂ    垂直穴
２０８ｃ    取付穴
２１０      環状体
２１０Ａ    止めねじ
２１０ａ    突出部
２１０ｂ    切り欠き部
２１２      カム溝用コマ組立体
２１３      直進溝用コマ組立体
２１３Ａ    第３のコマ
２１３Ｂ    第４のコマ
２１３ａ    コマ
２１３ｂ    ねじ
２１４      回転プレート
２１４ａ    第１の取付穴
２１４ｂ    第２の取付穴
２１４ｃ    屈曲部
２１６      第１のコマ
２１６ａ    第１のコロ
２１６ｂ    第１の軸ねじ
２１８      第２のコマ
２１８ａ    第２のコロ
２１８ｂ    第２の軸ねじ
２２０      軸受け
２２２      軸ねじ
２２４      引張コイルばね
２２６      第５のコマ
【図１Ａ】
2020177176.tif 000003
【図１Ｂ】
2020177176.tif 000004
【図１Ｃ】
2020177176.tif 000005
【図２】
2020177176.tif 000006
【図３】
2020177176.tif 000007
【図４】
2020177176.tif 000008
【図５Ａ】
2020177176.tif 000009
【図５Ｂ】
2020177176.tif 000010
【図５Ｃ】
2020177176.tif 000011
【図６】
2020177176.tif 000012
【図７Ａ】
2020177176.tif 000013
【図７Ｂ】
2020177176.tif 000014
【図８Ａ】
2020177176.tif 000015
【図８Ｂ】
2020177176.tif 000016
【図８Ｃ】
2020177176.tif 000017
【図９Ａ】
2020177176.tif 000018
【図９Ｂ】
2020177176.tif 000019
【図９Ｃ】
2020177176.tif 000020
【図１０Ａ】
2020177176.tif 000021
【図１０Ｂ】
2020177176.tif 000022
【図１０Ｃ】
2020177176.tif 000023
【図１１】
2020177176.tif 000024
【図１２Ａ】
2020177176.tif 000025
【図１２Ｂ】
2020177176.tif 000026
【図１２Ｃ】
2020177176.tif 000027
【図１２Ｄ】
2020177176.tif 000028
【図１３】
2020177176.tif 000029
【図１４】
2020177176.tif 000030
【図１５】
2020177176.tif 000031